(57)【要約】    【課題】    光源が放射する光量を短時間で安定させる。    【解決手段】    ランプ１を内部に収容するランプハウス３の近くにはランプハウス３を空冷するための冷却用ファン８が設置されている。この冷却用ファン８はケーシング５の排気口に設置されランプハウス３周囲の暖まった空気を直接的に装置外部に吸い出すようになっている。重水素ランプ１からの発熱によりランプハウス３の温度が上昇して安定温度に達するまでの時間は予めファン制御部６に設定されており、この時間が経過するまでは冷却用ファン８の回転を停止させておくか、通常運転時の回転速度よりも小さい回転速度で運転し、その後、ファン制御部６は冷却用ファン８を通常運転時の回転速度で回転開始させるか、又は、通常運転時の回転速度まで回転速度を上げてランプハウス３を冷却する風量を増し、ランプハウス３の放熱量を増加させてランプハウス３の温度を一定に保つように制御する。    【選択図】  図１
2005098765.tif 000002
【特許請求の範囲】
【請求項１】
光源としてのランプと、前記ランプを内部に収容したランプハウスと、前記ランプハウスを冷却する冷却手段としてのファンとを備えた光源装置において、
前記ファンを制御する制御装置を備え、
前記制御装置は前記ランプの発光開始後一定時間は前記ファンを停止又は通常運転時の回転速度よりも小さい回転速度で運転させ、その後、設定された通常運転時の回転速度で運転させるように制御するものであることを特徴とする光源装置。
【請求項２】
光源装置からの光を試料に照射し、試料からの光を検出することにより試料の分析を行なう分析装置において、
前記光源装置として請求項１に記載の光源装置を備えたことを特徴とする分析装置。
【発明の詳細な説明】
【技術分野】
【０００１】
本発明は、例えば分光光度計や蛍光光度計、屈折率計などの各種分析装置と、それに用いられる光源装置に関する。
【背景技術】
【０００２】
従来から、例えば分光光度計や蛍光光度計、屈折率計などの分析装置の光源としては、重水素ランプ等の放電灯やタングステンランプ等が使用されている。これらの光源は入力された電力の大部分が熱に変換され、その光源自体が加熱される。光源の温度は発光時間とともに上昇し、その温度が上昇し過ぎると光源を破損するので冷却する必要がある。また、光源の放射光量はこの温度変化によって変動するので、周囲温度が変化したときに光源の温度が変化して、光源の放射光量が変化してしまうことを防ぐ対策も必要である。
【０００３】
光源の放射光量が変化しないような対策としては、例えば、図２に示される液体クロマトグラフ用分光光度計の光源装置を挙げることができる。図２において、１は光源でありその光はミラー２を介して分光部４に投光される。この場合、光源１の光量が変動すると検出器１０での検出値が変動するので、高感度測定が阻害される要因となる。そこで、環境温度によって検出器１０の検出値が変動するのを防ぐために、光源１をある程度大きな熱容量をもったランプハウス３に収容し、その外側を冷却用ファン８によって一定風量で空冷して放熱し、環境温度が変化しても光源１の周囲にその変化が伝わりにくくするようにしている。
【０００４】
上記の方法において、ランプハウス３の熱容量が大きいと、光源１が点灯して発熱し始めてから光源１の周囲の温度と光源１の温度が安定するまでには長い時間がかかり、光源１が発する光量の安定に長い時間がかかってしまう。そのため、検出器１０の検出値を安定させるまでに長い時間を必要とする。
【０００５】
本発明者は、ファンを制御する制御装置と、ランプハウス内の温度を測定する温度センサとを設け、ランプハウス内の温度がある一定の温度に達するまではファンを停止又は低回転数で作動させるように制御することで、短時間のうちにランプ及びその周辺温度を安定させることを提案している（特許文献１参照。）。
【特許文献１】特開２０００−７４８２１号公報
【発明の開示】
【発明が解決しようとする課題】
【０００６】
本発明は、光源が放射する光量を短時間で安定させることを特許文献１と異なる方法により達成することを目的としている。
【課題を解決するための手段】
【０００７】
本発明は、光源としてのランプと、前記ランプを内部に収容したランプハウスと、前記ランプハウスを冷却する冷却手段としてのファンとを備えた光源装置であって、前記ファンを制御する制御装置を備え、前記制御装置は前記ランプの発光開始後一定時間は前記ファンを停止又は通常運転時の回転速度よりも小さい回転速度で運転させ、その後、設定された通常運転時の回転速度で運転させるように制御するものであることを特徴とするものである。
【０００８】
光源装置からの光を試料に照射し、試料からの光を検出することにより試料の分析を行なう分析装置に、光源装置として上記の光源装置を用いることができる。
【０００９】
本発明は、ランプ発光開始後一定時間の間はランプハウス内を冷却しないか、又は、比較的冷却効率の低い状態でファンを作動させ、ランプハウス内の温度を短時間のうちに安定温度に近づけるようにするものである。
一定時間とは、予めランプハウス及びランプ周辺温度が安定するまでの時間を測定しておくか、又は、ランプの発熱量とランプハウスの熱容量及び放熱量から計算で求められるもので、装置内に記憶させることのできるものである。
【発明の効果】
【００１０】
ランプが発光を開始してから一定時間はファンを低回転速度状態又は停止状態で作動させるので、ランプ周辺の温度が短時間で上昇して安定温度に達するようになる。また、一定時間経過後はファンを通常運転時の回転数で回転させてランプ周辺の温度を一定に保つので、ランプの放射光量を安定させることができる。このように予め設定された時間に従ってファンを制御するだけであるので、構成が簡単である。
【発明を実施するための最良の形態】
【００１１】
以下に一実施例を説明する。
図１は本発明の光源装置を紫外分光光度計に適用した装置の構成を概略的に示す図である。
光源として重水素ランプ１が用いられている。このランプ１から出た光は、ミラー２で分光部４の入口スリット（図示略）に集光される。分光部４内で分光された後、分光部４内の試料セル（図示略）に照射され、試料を透過した光が検出器１０で検出されて吸光度が測定される。
【００１２】
ランプ１を内部に収容したランプハウス３の近くにはランプハウス３を空冷するための冷却用ファン８が設置されている。この冷却用ファン８はケーシング５の排気口に設置されランプハウス３周囲の暖まった空気を直接的に装置外部に吸い出すようになっている。
また、この冷却用ファン８は電気系部７に内蔵されているファン制御部６に接続されており、このファン制御部６はファン８の回転数を制御してランプハウス３周辺の温度を調節する。ファン制御部６にはランプ１点灯開始後の時間と冷却用ファン８の回転数の関係が設定されており、その設定に基づいてファン８を制御するようになっている。
【００１３】
電気系部７には、他にランプ１の点灯回路、分光部４の制御部、信号処理部、電源部等が内設されている。
９はランプハウス３以外の発熱部、すなわち電気系部７等の他の発熱部を冷却するための冷却用ファンであり、この冷却用ファン９は電源投入中は定速で運転され、放出された熱気をケーシング５から排出して冷却を行なっている。
【００１４】
重水素ランプ１の点灯開始後、ランプハウス３の温度は重水素ランプ１の発熱により徐々に上昇するが、しばらくの間は安定時の温度よりも低いので、冷却用ファン８をランプ１の点灯後しばらくの間は停止させておくか、又は、低回転速度で運転することでランプハウス３からの放熱を抑え、重水素ランプ１の発熱を利用して短時間にランプハウス３の温度を安定温度に到達させる。重水素ランプ１からの発熱によりランプハウス３の温度が上昇して安定温度に達するまでの時間は予めファン制御部６に設定されており、この時間が経過するとファン制御部６は冷却用ファン８を通常運転時の回転速度で回転開始させるか、又は、通常運転時の回転速度まで回転速度を上げてランプハウス３を冷却する風量を増し、ランプハウス３の放熱量を増加させてランプハウス３の温度を一定に保つように制御する。
【００１５】
ランプ１の点灯後、ランプ１が発する熱でランプハウス３が暖められてランプ１及びその周囲の温度が安定するまでの時間は、ランプ１の発熱量、ランプハウス３の熱容量及びランプハウス３の放熱量によって決定され、この時間はほぼ一定とすることができる。したがって、このランプ１及びその周囲の温度が安定するまでの時間を一定時間としてファン制御部６に設定し、ランプ点灯開始後一定時間は冷却用ファン８を停止または低回転速度運転とすることで、ランプ１及びその周囲の温度を早く上昇・安定させ、短時間に分析装置の出力を安定させることができるのである。
【００１６】
冷却ファン８の設置位置は図示位置に限定されるものではなく、さらにケーシング５を備えていない分析装置の場合もあり、冷却機能を発揮する位置であれば設置することができる。
同実施例では冷却ファン９を備えた装置を示したが、冷却ファン９を備えていない装置に関しても同様に適応することができる。
【００１７】
本発明は、実施例で示した紫外分光光度計に限定されるものでなく、蛍光光度計、屈折率検出器など光源の光出力の安定が必要な分析装置にも同様に適用することが可能である。
【産業上の利用可能性】
【００１８】
本発明の光源装置及びそれを用いた分析装置は、化学、生化学、医療その他の分野において、試料を光学的に分析するのに利用することができる。
【図面の簡単な説明】
【００１９】
【図１】本発明の光源装置を紫外分光光度計に応用した一実施例の構成を概略的に示す図である。
【図２】従来装置の構成を概略的に示す図である。
【符号の説明】
【００２０】
１      ランプ
２      ミラー
３      ランプハウス
４      分光部
５      ケーシング
６      ファン制御部
７      電気系部
８,９      冷却用ファン
１０      検出器
【図１】
2005098765.tif 000003
【図２】
2005098765.tif 000004